(57)【特許請求の範囲】
【請求項１】
底壁部と、前記底壁部から立設する一対の側壁部と、を備え、内部に電線を収容する樋状部を有し、前記一対の側壁部のうち一方の側壁部には、前記一方の側壁部を貫通して、固定部材を通す孔部が設けられ、前記固定部材が、前記孔部に通された後、前記電線に巻き付けられて該電線を前記一方の側壁部に近付けて固定する電線固定部において、
前記一方の側壁部には、前記孔部における前記底壁部から離れた側の縁から、前記一対の側壁部のうち他方の側壁部に向かって立設した立設片が設けられ、前記立設片は、前記樋状部に収容された前記電線よりも前記底壁部側に設けられ、前記底壁部との間に前記固定部材を通す位置に設けられていることを特徴とする電線固定部。
【請求項２】
前記立設片には、前記電線に向かって突出し、前記電線に接触する凸部が設けられていることを特徴とする請求項１に記載の電線固定部。
【請求項３】
前記凸部は、前記立設片の前記一方の側壁部から離れた端部に設けられていることを特徴とする請求項２に記載の電線固定部。
【請求項４】
前記底壁部から前記電線に向かって突出し、前記電線の長手方向に沿って間隔をあけて設けられ、互いの間に前記固定部材を通す一対のリブが設けられ、
前記一対のリブは、前記固定部材の進入方向に沿って設けられていることを特徴とする請求項１乃至請求項３のうちいずれか一項に記載の電線固定部。
【請求項５】
前記立設片と前記一対のリブとが連結されていることを特徴とする請求項４に記載の電線固定部。
【請求項６】
前記他方の側壁部から前記電線に向かって突出し、前記電線の長手方向に沿って間隔をあけて設けられ、互いの間に前記固定部材を通す一対の第２リブが設けられ、
前記一対の第２リブは、前記固定部材の進入方向に沿って設けられていることを特徴とする請求項１乃至請求項５のうちいずれか一項に記載の電線固定部。
【請求項７】
前記底壁部と相対する位置に設けられた開口部を覆う蓋部を備え、
前記立設片は、前記開口部から離れた側に設けられていることを特徴とする請求項１乃至請求項６のうちいずれか一項に記載の電線固定部。
【請求項８】
前記一方の側壁部には、前記底壁部から離れた側の縁が切り欠かれることで形成された切り欠き部が設けられ、
前記切り欠き部には、前記孔部を通された後、前記電線に巻き付けられた前記固定部材が通されることを特徴とする請求項１乃至請求項７のうちいずれか一項に記載の電線固定部。
【発明の詳細な説明】
【技術分野】
【０００１】
本発明は、例えば、自動車のエンジンルーム内に電線を配策する際に用いられる電線固定部に関する。
【背景技術】
【０００２】
図９は、従来の電線固定部の一部断面を示す斜視図である。同図に示された、従来の電線固定部１０１は、電線７が載置される底壁部１１４と、前記底壁部１１４から立設し、互いの間に前記電線７を位置付ける一対の側壁部１１３、１１５と、を備え、樋状に形成されている。
【０００３】
上記側壁部１１３には、前記電線７を固定するための固定部材としての結束部材８が通される孔部１１３ａが設けられている。
【０００４】
上述した電線固定部１０１は、底壁部１１４に電線７が載置された状態で、結束バンド８の先端部が孔部１１３ａを通された後、該結束バンド８が電線７に巻き付けられて該電線７を側壁部１１３に近付けて固定している（特許文献１、特許文献２参照。）。
【０００５】
しかしながら、上述した従来の電線固定部１０１においては、以下に示す問題があった。即ち、従来の電線固定部１０１において、電線７は、結束バンド８が巻き付けられることで側壁部１１３に近付けられて固定されているので、該電線７は、側壁部１１３に近付けられた状態で固定されていることとなり、よって、電線７と底壁部１１４との間に無駄な空間、即ち、デッドスペース（図９中に符号Ｄで示す）ができてしまい、電線７を電線固定部１に固定した際の収納性が悪いという問題があった。
【０００６】
そこで、上記問題を解決した電線固定部が提案されている（特許文献３を参照。）。図１０は、従来の電線固定部の断面図である。同図に示された、特許文献３に記載の電線固定部２０１は、底壁部１１４に、該底壁部１１４から電線７に向かって突出し、孔部１１３ａを通された結束バンド８を互いの間に位置付ける一対のリブ１１７と、これら一対のリブ１１７同士を連結する連結部１１６と、が設けられている。上記連結部１１６は、底壁部１１４との間に結束バンド８を通す位置に設けられている。また、これら一対のリブ１１７、及び、連結部１１６は、側壁部１１３から間隔をあけて設けられている。また、図１０において、前述した従来の電線固定部１０１と同一部分には同一符号を付して説明を省略する。
【０００７】
上述した電線固定部２０１は、底壁部１１４に電線７が載置された状態で、結束バンド８の先端部が、孔部１１３ａを通されて、一対のリブ１１７間で、かつ、連結部１１６と底壁部１１４との間を通された後、該結束バンド８が電線７に巻き付けられて該電線７を固定している。
【先行技術文献】
【特許文献】
【０００８】
【特許文献１】特開２００５−８０４２９号公報
【特許文献２】特開２００９−６５７９８号公報
【特許文献３】特開２００１−２０８２８１号公報
【発明の概要】
【発明が解決しようとする課題】
【０００９】
しかしながら、上述した従来の電線固定部２０１においては、以下に示す問題があった。即ち、従来の電線固定部２０１において、該電線固定部２０１に電線７を固定する際に、底壁部１１４に電線７が載置された状態で、結束バンド８を孔部１１３ａに通した後、該結束バンド８の先端部が、側壁部１１３と、一対のリブ１１７及び連結部１１６との間、即ち、前記間隔から、電線７側に向かって飛び出してしまい、組付け作業性が悪いという問題があった。
【００１０】
そこで、本発明は、上記のような問題点に着目し、電線の収納性の向上を図るとともに、組付け作業性の向上を図った電線固定部を提供することを目的とする。
【課題を解決するための手段】
【００１１】
請求項１に記載の本発明は、底壁部と、前記底壁部から立設する一対の側壁部と、を備え、内部に電線を収容する樋状部を有し、前記一対の側壁部のうち一方の側壁部には、前記一方の側壁部を貫通して、固定部材を通す孔部が設けられ、前記固定部材が、前記孔部に通された後、前記電線に巻き付けられて該電線を前記一方の側壁部に近付けて固定する電線固定部において、前記一方の側壁部には、前記孔部における前記底壁部から離れた側の縁から、前記一対の側壁部のうち他方の側壁部に向かって立設した立設片が設けられ、前記立設片は、前記樋状部に収容された前記電線よりも前記底壁部側に設けられ、前記底壁部との間に前記固定部材を通す位置に設けられていることを特徴とする。
【００１２】
請求項２に記載の本発明は、請求項１に記載の本発明において、前記立設片には、前記電線に向かって突出し、前記電線に接触する凸部が設けられていることを特徴とする。
【００１３】
請求項３に記載の本発明は、請求項２に記載の本発明において、前記凸部は、前記立設片の前記一方の側壁部から離れた端部に設けられていることを特徴とする。
【００１４】
請求項４に記載の本発明は、請求項１乃至請求項３のうちいずれか一項に記載の本発明において、前記底壁部から前記電線に向かって突出し、前記電線の長手方向に沿って間隔をあけて設けられ、互いの間に前記固定部材を通す一対のリブが設けられ、前記一対のリブは、前記固定部材の進入方向に沿って設けられていることを特徴とする。
【００１５】
請求項５に記載の本発明は、請求項４に記載の本発明において、前記立設片と前記一対のリブとが連結されていることを特徴とする。
【００１６】
請求項６に記載の本発明は、請求項１乃至請求項５のうちいずれか一項に記載の本発明において、前記他方の側壁部から前記電線に向かって突出し、前記電線の長手方向に沿って間隔をあけて設けられ、互いの間に前記固定部材を通す一対の第２リブが設けられ、前記一対の第２リブは、前記固定部材の進入方向に沿って設けられていることを特徴とする。
【００１７】
請求項７に記載の本発明は、請求項１乃至請求項６のうちいずれか一項に記載の本発明において、前記底壁部と相対する位置に設けられた開口部を覆う蓋部を備え、前記立設片は、前記開口部から離れた側に設けられていることを特徴とする。
【００１８】
請求項８に記載の本発明は、請求項１乃至請求項７のうちいずれか一項に記載の本発明において、前記一方の側壁部には、前記底壁部から離れた側の縁が切り欠かれることで形成された切り欠き部が設けられ、前記切り欠き部には、前記孔部を通された後、前記電線に巻き付けられた前記固定部材が通されることを特徴とする。
【発明の効果】
【００１９】
請求項１に記載の本発明によれば、電線が載置される底壁部と、前記底壁部から立設し、互いの間に前記電線を位置付ける一対の側壁部と、を備え、前記一対の側壁部のうち一方の側壁部には、前記電線を固定するための固定部材が通される孔部が設けられ、前記固定部材は、前記孔部を通された後、前記電線に巻き付けられて該電線を前記一方の側壁部に近付けて固定する電線固定部において、前記一方の側壁部には、前記孔部の前記底壁部から離れた側に、前記一方の側壁部から他方の側壁部に向かって立設した立設片が設けられ、前記立設片は、前記電線と前記底壁部との間に設けられ、前記底壁部との間に前記固定部材を通す位置に設けられているので、電線は、固定部材によって立設片に近付けられた状態で固定される、即ち、電線が電線固定部の所定の位置に位置付けられていることとなり、よって、電線の収納性の向上を図るとともに、電線が底壁部に載置された状態で、固定部材を、電線と底壁部との間に通す際には、電線と固定部材との間に立設片が設けられていることとなるので、例えば、特許文献３に示された従来の電線固定部のように、結束バンドの先端部が、底壁部と立設片との間隔（隙き間）から、電線側に向かって飛び出してしまうことなく、該先端部が、底壁部と立設片との間を通されることとなり、よって、組付け作業性の向上を図った電線固定部を提供することができる。
【００２０】
請求項２に記載の本発明によれば、前記立設片には、前記電線に向かって突出し、前記電線に接触する凸部が設けられているので、該電線が電線固定部の所定の位置に位置付けられた状態では、凸部が電線に接触しているので、該凸部が電線に接触することで、電線が該電線の長手方向に位置ずれされるのを防止することができる。
【００２１】
請求項３に記載の本発明によれば、前記凸部は、前記立設片の前記一方の側壁部から離れた端部に設けられている。立設片の先端部には、底壁部と立設片との間を通された固定部材が電線に巻き付いた際に、固定部材によって、底壁部から離れた側に向かって力がかけられることで変形することとなるが、凸部が設けられていることで、該先端部が変形し難くなり、立設片の先端部の強度の向上を図ることができる。
【００２２】
請求項４に記載の本発明によれば、前記底壁部から前記電線に向かって突出し、前記電線の長手方向に沿って間隔をあけて設けられ、互いの間に前記固定部材を通す一対のリブが設けられ、前記一対のリブは、前記固定部材の進入方向に沿って設けられているので、一対のリブが設けられていることで、孔部を通された固定部材の先端部が、電線と底壁部との間を、固定部材の進入方向に沿ってガイドされることとなり、より一層、組付け作業性の向上を図ることができる。
【００２３】
請求項５に記載の本発明によれば、前記立設片と前記一対のリブとが連結されている。立設片には、第２壁部と立設片との間を通された固定部材が電線に巻き付けられた際に、固定部材によって、第２壁部から離れた側に向かって力がかけられることで変形することとなるが、前記立設片と前記一対のリブとが連結されていることで、該立設片が変形し難くなり、よって立設片の強度の向上を図ることができる。
【００２４】
請求項６に記載の本発明によれば、前記他方の側壁部から前記電線に向かって突出し、前記電線の長手方向に沿って間隔をあけて設けられ、互いの間に前記固定部材を通す一対の第２リブが設けられ、前記一対の第２リブは、前記固定部材の進入方向に沿って設けられているので、一対の第２リブが設けられていることで、孔部を通された固定部材の先端部が、電線と側壁部との間を、固定部材の進入方向に沿ってガイドされることとなり、より一層、組付け作業性の向上を図ることができる。
【００２５】
請求項７に記載の本発明によれば、前記底壁部と相対する位置に設けられた開口部を覆う蓋部を備え、前記立設片は、前記開口部から離れた側に設けられているので、蓋部を取り付ける際に、電線を開口部から離れた（奥）側に押し込まずとも、電線は、固定部材によって立設片に近付けられた状態で固定される、即ち、電線が電線固定部の所定の位置に位置付けられていることとなり、よって、一対の側壁部との間に電線が挟まれることなく、蓋部が取り付けられることとなり、よって、より一層、組付け作業性の向上を図ることができる。
【００２６】
請求項８に記載の本発明によれば、前記一方の側壁部には、前記底壁部から離れた側の縁が切り欠かれることで形成された切り欠き部が設けられ、前記切り欠き部には、前記孔部を通された後、前記電線に巻き付けられた前記固定部材が通されるので、該固定部材が、前記長手方向に沿って位置ずれするのを防止されることとなり、より一層、組付け作業性の向上を図ることができる。また、一方の側壁部との間に固定部材が挟まれることなく、前記底壁部と相対する位置に設けられた開口部を覆う蓋部が取り付けられることとなり、よって、より一層、組付け作業性の向上を図ることができる。
【図面の簡単な説明】
【００２７】
【図１】本発明の電線固定部を組み込んだ電気接続箱の一実施の形態を示す斜視図である。
【図２】図１に示された電線固定部を構成する樋状部を示す斜視図である。
【図３】図２に示された樋状部を示す上面図である。
【図４】図３中のＩ−Ｉ線に沿う断面図である。
【図５】図４に示された樋状部の一部断面を示す側面図である。
【図６】図１に示された電線固定部の組立作業を説明するための説明図であり、通し部に電線が載置された状態を示す図である。
【図７】図６に示された電線固定部の組立作業を説明するための説明図であり、電線と通し部との間に結束バンドを通している様子を示す図である。
【図８】図７に示された電線固定部の組立作業を説明するための説明図であり、結束バンドによって電線が通し部に固定された状態を示す図である。
【図９】従来の電線固定部の一部断面を示す斜視図である。
【図１０】従来の電線固定部の断面図である。
【発明を実施するための形態】
【００２８】
以下、本発明の一実施の形態にかかる電線固定部を、図１乃至図８に基づいて説明する。図１などに示された電線固定部は、自動車のエンジンルームなどに取り付けられて、前記自動車に搭載された多種多様な電子部品に電力を供給する電気接続箱１０に設けられている（組み込まれている）。また、本明細書では、ジャンクションブロック、ヒューズブロック、リレーボックスを、総称して以下電気接続箱１０と呼ぶ。
【００２９】
上記電気接続箱１０は、図１に示すように、複数の電気部品９が収容される箱本体２と、該箱本体２から突出して設けられ、電線７を前記箱本体２の外部に引き出す電線固定部としての通し部１と、を備えている。
【００３０】
箱本体２は、図１、図２に示すように、枠状に形成された本体部３と、本体部３の上面を覆うように該本体部３に着脱自在に取り付けられるアッパーカバーと、本体部３の前記上面から離れた側の下面を覆うように該本体部３に着脱自在に取り付けられるロアカバー４と、を備えている。また、箱本体２には、複数の電気部品９が合成樹脂製のカセットブロック５に装着されて収容されている。なお、図１においては、アッパーカバー（図示しない）が取り外された状態を示している。
【００３１】
上記本体部３は、合成樹脂で構成され、周知の射出成型により形成されている。本体部３には、アッパーカバーの後述するロック部に係止するロック受け部３１と、ロアカバー４の後述する係止部４１に係止する係止受け部３２と、が設けられている。
【００３２】
上記アッパーカバーは、絶縁性の合成樹脂からなりかつ、周知の射出成形により有底筒状に成形される。アッパーカバーには、ロック部（図示しない）が設けられている。
【００３３】
上記ロアカバー４は、絶縁性の合成樹脂からなりかつ、周知の射出成形により有底筒状に成形される。ロアカバー４には、複数の係止部４１が設けられている。
【００３４】
上記通し部１は、図２、図３に示すように、一端が各電気部品９に接続された電線７の他端側が通されることで、該他端側を箱本体２の外部に引き出している。また、通し部１は、箱本体２の内部と外部とに亘って連通している。また、通し部１は、筒状に形成されており、該通し部１の軸方向と、前記通し部１の内側を通される電線７の長手方向とは、互いに平行に設けられている。
【００３５】
上記通し部１は、本体部３の前記下面の縁から立設し、樋状に形成された樋状部１１と、前記下面の縁に重ねられるロアカバー４の縁から立設した、前記樋状部１１の開口部１ａを覆うように前記樋状部１１に取り付けられる蓋部１２（図１に示す）と、を備えている。上記開口部１ａは、樋状部１１の後述する底壁部１４と相対する位置に設けられている。
【００３６】
上記樋状部１１は、図４、図５に示すように、電線７が載置される底壁部１４と、前記底壁部１４から立設し、互いの間に前記電線７を位置付ける一対の側壁部１３、１５と、を備えている。これら側壁部１３、１５は、互いに相対する位置に設けられている。また、一対の側壁部１３、１５のうち、側壁部１３を、特許請求項の範囲に示された「一方の側壁部」といい、側壁部１５を、特許請求項の範囲に示された「他方の側壁部」という。
【００３７】
上記側壁部１３には、電線７を固定するための固定部材としての結束バンド８が通される孔部１３ａと、切り欠き部１３ｂと、立設片１６と、が設けられている。
【００３８】
上記孔部１３ａは、側壁部１３を貫通している。また、孔部１３ａは、側壁部１３の底壁部１４側の端部に設けられている。
【００３９】
上記切り欠き部１３ｂは、側壁部１３の底壁部１４から離れた側の縁が切り欠かれることで形成されている。また、切り欠き部１３ｂは、側壁部１３の底壁部１４から離れた端部に設けられている。この切り欠き部１３ｂの内側には、孔部１３ａを通された結束バンド８が、電線７に巻き付けられた後、通される。
【００４０】
上記立設片１６は、電線７と底壁部１４との間に設けられ、該底壁部１４との間に結束バンド８を通す位置に設けられている。また、立設片１６は、板状に形成されている。また、立設片１６は、一端が孔部１３ａの底壁部１４から離れた縁（側壁部１３）に連なり、他端が側壁部１５に向かって延びている。即ち、立設片１６は、側壁部１３から立設し、側壁部１５に向かって延びている。また、立設片１６は、底壁部１４と対向するように該底壁部１４の内表面に沿って設けられている。
【００４１】
また、立設片１６には、電線７に向かって突出した凸部２０が設けられている。上記凸部２０は、立設片１６の側壁部１３から離れた端部に設けられている。この凸部２０は、電線７の外周部に接触するように設けられている。
【００４２】
さらに、樋状部１１には、一対のリブ１８、１９が設けられている。
【００４３】
上記一対の第１リブ１８は、底壁部１４から電線７に向かって突出している。また、一対の第１リブ１８は、電線7の長手方向に沿って間隔をあけて設けられ、互いの間に孔部１３ａを通された結束部材８が通される。これら一対の第１リブ１８それぞれは、一端が、孔部１３ａの底壁部１４側の縁（側壁部１３）に連なり、他端が、側壁部１５に連なっている。即ち、一対の第１リブ１８は、結束バンド８の進入方向に沿って設けられている。また、一対の第１リブ１８それぞれと、立設片１６と、は連結されている。一対の第１リブ１８は、特許請求項の範囲に示された「一対のリブ」に相当する。
【００４４】
上記一対の第２リブ１９は、側壁部１５から電線７に向かって突出している。また、一対の第２リブ１９は、電線7の長手方向に沿って間隔をあけて設けられ、互いの間に第１リブ１８を通された結束部材８が通される。また、一対の第２リブ１９それぞれは、一端が、各第１リブ１８それぞれに連なり、他端が、底壁部１３から離れる方向に延びている。即ち、一対の第２リブ１８は、結束バンド８の進入方向に沿って設けられている。
【００４５】
上述した電線固定部としての通し部１が設けられた電気接続箱１０の組み立て手順について説明する。まず、各電線７の一端が接続された各電気部品９をカセットブロック５に装着して、各電気部品９が装着されたカセットブロック５を本体部３に収容する。または、各電気部品９が装着されたカセットブロック５を本体部３に収容した後、各電線７の一端を各電気部品９に接続してもよい。そして、各電気部品９に接続された電線７の他端側を、樋状部１１の内側に通して本体部３の外側に引き出す（図６に示す）。すると、樋状部１１の底壁部１４に電線７の他端側が載置される。
【００４６】
次に、電線７の他端側が底壁部１４に載置された状態で、結束バンド８の先端部を孔部１３ａに通す。すると、孔部１３ａを通された前記先端部は、底壁部１４と立設片１６との間で、かつ、一対の第１リブ１８間に進入する。この際、前記先端部（結束バンド８）は、電線と底壁部１４との間に位置している（図７に示す）。さらに、進入すると、前記先端部は、一対の第２リブ１９間に位置付けられる。この際、前記先端部（結束バンド８）は、電線７と側壁部１５との間に位置している。さらに、進入すると、前記先端部は、切り欠き部１３ｂの内側を通されて通し部１の外側に引き出される。こうして、電線７の外周に、結束バンド８のバンド本体８１が巻き付けられる。
【００４７】
さらに、切り欠き部１８ｂから通し部１の外側に引き出された前記先端部が、前記結束部の貫通口を通されて、バンド本体８１の他端部側が、前記結束部に係止する。すると、図８に示すように、電線７は結束バンド８によって、立設片１６に近付けられた状態で固定される、即ち、電線７は、通し部１の所定の位置に収納されていることとなる。
【００４８】
そして、電線７が、通し部１の所定の位置に収納された状態で、本体部３の下面を覆うようにロアカバー４を近付ける。すると、樋状部１１の開口部１ａを覆うように蓋部１２が取り付けられるとともに、ロアカバー４の係止部４１が本体部３の係止受け部３２に係止することで、電線固定部としての通し部１が組み立てられる。
【００４９】
最後に、本体部３の上面を覆うようにアッパーカバーを近付けて、アッパーカバーのロック部が本体部３のロック受け部３に嵌まることで、箱本体２が組み立てられる、と同時に、電気接続箱１０が完成する。
【００５０】
上述した実施形態によれば、電線７が載置される底壁部１４と、前記底壁部１４から立設し、互いの間に前記電線７を位置付ける一対の側壁部１３、１５と、を備え、前記一対の側壁部１３、１５のうち一方の側壁部１３には、前記電線７を固定するための固定部材としての結束バンド８が通される孔部１３ａが設けられ、前記結束バンド８は、前記孔部１３ａを通された後、前記電線７に巻き付けられて該電線７を前記一方の側壁部１３に近付けて固定する電線固定部１において、前記一方の側壁部１３には、前記孔部１３ａの前記底壁部１４から離れた側に、前記一方の側壁部１３から他方の側壁部１５に向かって立設した立設片１６が設けられ、前記立設片１６は、前記電線７と前記底壁部１４との間に設けられ、前記底壁部１４との間に前記結束バンド８を通す位置に設けられているので、電線７は、結束バンド８によって立設片１６に近付けられた状態で固定される、即ち、電線７が電線固定部１の所定の位置に位置付けられていることとなり、よって、電線７の収納性の向上を図るとともに、電線７が底壁部１４に載置された状態で、結束バンド８を、電線７と底壁部１４との間に通す際には、電線７と結束バンド８との間に立設片１６が設けられていることとなるので、例えば、特許文献３に示された従来の電線固定部２０１のように、結束バンド８の先端部が、底壁部１４と立設片１６との間隔（隙き間）から、電線７側に向かって飛び出してしまうことなく、該先端部が、底壁部１４と立設片１６との間を通されることとなり、よって、組付け作業性の向上を図った電線固定部１を提供することができる。
【００５１】
また、前記立設片１６には、前記電線７に向かって突出し、前記電線７に接触する凸部２０が設けられているので、該電線７が電線固定部１の所定の位置に位置付けられた状態では、凸部２０が電線７に接触しているので、該凸部２０が電線７に接触することで、電線７が該電線７の長手方向に位置ずれされるのを防止することができる。
【００５２】
また、前記凸部２０は、前記立設片１６の前記一方の側壁部１３から離れた端部に設けられている。立設片１６の先端部には、底壁部１４と立設片１６との間を通された結束バンド８が電線７に巻き付いた際に、結束バンド８によって、底壁部１４から離れた側に向かって力がかけられることで変形することとなるが、凸部２０が設けられていることで、該先端部が変形し難くなり、よって立設片１６の先端部の強度の向上を図ることができる。
【００５３】
また、前記底壁部１４から前記電線７に向かって突出し、前記電線７の長手方向に沿って間隔をあけて設けられ、互いの間に前記結束バンド８を通す一対の第１リブ１８が設けられ、前記一対の第１リブ１８は、前記結束バンド８の進入方向に沿って設けられているので、一対の第１リブ１８が設けられていることで、孔部１３ａを通された結束バンド８の先端部が、電線７と底壁部１４との間を、結束バンド８の進入方向に沿ってガイドされることとなり、より一層、組付け作業性の向上を図ることができる。
【００５４】
また、前記立設片１６と前記一対のリブ１８、１９とが連結されている。立設片１６には、第２壁部と立設片１６との間を通された結束バンド８が電線７に巻き付けられた際に、結束バンド８によって、第２壁部から離れた側に向かって力がかけられることで変形することとなるが、前記立設片１６と前記一対のリブ１８、１９とが連結されていることで、該立設片１６が変形し難くなり、よって立設片１６の強度の向上を図ることができる。
【００５５】
また、前記他方の側壁部１５から前記電線７に向かって突出し、前記電線７の長手方向に沿って間隔をあけて設けられ、互いの間に前記結束バンド８を通す一対の第２リブ１９が設けられ、前記一対の第２リブ１９は、前記結束バンド８の進入方向に沿って設けられているので、一対の第２リブ１９が設けられていることで、孔部１３ａを通された結束バンド８の先端部が、電線７と側壁部１５との間を、結束バンド８の進入方向に沿ってガイドされることとなり、より一層、組付け作業性の向上を図ることができる。
【００５６】
また、前記底壁部１４と相対する位置に設けられた開口部１ａを覆う蓋部１２を備え、前記立設片１６は、前記開口部１ａから離れた側に設けられているので、蓋部１２を取り付ける際に、電線７を開口部１ａから離れた（奥）側に押し込まずとも、電線７は、結束バンド８によって立設片１６に近付けられた状態で固定される、即ち、電線７が通し部１の所定の位置に位置付けられていることとなり、よって、一対の側壁部１３、１５との間に電線７が挟まれることなく、蓋部１２が取り付けられることとなり、よって、より一層、組付け作業性の向上を図ることができる。
【００５７】
また、前記一方の側壁部１３には、前記底壁部１４から離れた側の縁が切り欠かれることで形成された切り欠き部１３ｂが設けられ、前記切り欠き部１３ｂには、前記孔部１３ａを通された後、前記電線７に巻き付けられた前記結束バンド８が通されるので、該結束バンド８が、前記長手方向に沿って位置ずれするのを防止されることとなり、よって、より一層、組付け作業性の向上を図ることができる。また、側壁部１３との間に結束バンド８が挟まれることなく、蓋部１２が取り付けられることとなり、よって、より一層、組付け作業性の向上を図ることができる。
【００５８】
なお、上述した実施形態によれば、一対の第１リブ１８と、一対の第２リブ１９と、の双方が設けられているが、本発明はこれに限ったものではなく、一対の第１リブ１８と、一対の第２リブ１９と、のうちいずれか一方が設けられていればよい。また、上述した実施形態によれば、一対の第１リブ１８と、一対の第２リブ１９と、の双方が設けられているが、本発明はこれに限ったものではなく、一対の第１リブ１８と、一対の第２リブ１９と、はなくてもよい。
【００５９】
また、上述した実施形態によれば、電線固定部としての通し部１は、電気接続箱１０に設けられているが、本発明はこれに限ったものではなく、電線固定部としての通し部１は、例えば、エンジンルーム内に電線７を配策する際に用いられるプロテクタとして用いられてもよい。
【００６０】
また、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００６１】
１  通し部（電線固定部）
１ａ  開口部
１１  樋状部
１２  蓋部
１３  側壁部（一方の側壁部）
１３ａ  孔部
１３ｂ  切り欠き部
１４  底壁部
１５  側壁部（他方の側壁部）
１６  立設片
１８  （一対の）第１リブ（リブ）
１９  （一対の）第２リブ
２０  凸部
７  電線
８  結束バンド（固定部材）
【図１】
0005666250.tif 000002
【図２】
0005666250.tif 000003
【図３】
0005666250.tif 000004
【図４】
0005666250.tif 000005
【図５】
0005666250.tif 000006
【図６】
0005666250.tif 000007
【図７】
0005666250.tif 000008
【図８】
0005666250.tif 000009
【図９】
0005666250.tif 000010
【図１０】
0005666250.tif 000011